(57)【要約】【課題】磁化率または飽和磁束密度が異なる複数種類の磁気情報のそれぞれを確実に検出できる磁気センサを実現する。【解決手段】磁気センサ１の磁気検出部１０は筐体１１の天面付近に配置された磁気抵抗素子ＭＲ１及び抵抗素子Ｒ１と、これらの配置領域にバイアス磁界を印加する磁石１２を備える。この際、磁気抵抗素子ＭＲ１の感度のみによって設定される磁気検出信号Ｖｏｕｔ１の極大となる磁束密度が磁気抵抗素子ＭＲ１へ印加されるように設定する。例えば、バイアス磁界を１５０ｍＴよりも高く設定する。より詳細には、この設定するバイアス磁界は、被検出体９００の磁気パターン９０１，９０２の磁化率または飽和磁束密度に基づき、１５０ｍＴより高く４５０ｍＴ以下に設定する。【選択図】  図３
2010256199.tif 000002
【特許請求の範囲】
【請求項１】
被検出体に印加される磁束密度の変化に応じて抵抗値が変化する磁気抵抗素子と、該磁気抵抗素子にバイアス磁界を印加する磁石とを備え、前記磁気抵抗素子の感度が最大となる磁束密度よりも、被検出体の磁気パターンの飽和磁束密度が高い場合に、前記磁気パターンを検出する磁気センサであって、
前記磁気抵抗素子の感度が最大となる磁束密度よりも高い磁束密度が前記磁気抵抗素子に対して印加される、磁気センサ。
【請求項２】
前記被検出体の磁気パターンは、前記バイアス磁界による磁化率または飽和磁束密度が異なる複数の磁気パターンを有し、
前記バイアス磁界は、前記複数の磁気パターンの磁化率または飽和磁束密度に基づく磁束密度を発生させる、請求項１磁気センサ。
【請求項３】
前記バイアス磁界は、前記磁気抵抗素子の感度が最大となる磁束密度における前記磁気パターンでの検出レベルを基準とし、当該基準の検出レベル以上の検出レベルが得られる範囲の磁束密度を発生させる、請求項１または請求項２に記載の磁気センサ。
【請求項４】
前記バイアス磁界は、１５０ｍＴより高く４５０ｍＴ以下である、請求項３に記載の磁気センサ。
【請求項５】
前記磁気抵抗素子は、フェライト基板上に形成されたＩｎＳｂの半導体薄膜によって形成される、請求項３または請求項４に記載の磁気センサ。
【発明の詳細な説明】
【技術分野】
【０００１】
この発明は、被検出体に形成された異なる磁化率または飽和磁束密度を有する複数の磁気情報を検出する磁気センサに関するものである。
【背景技術】
【０００２】
現在、被検出体に形成された磁気スレッド等を検出する磁気センサが、用途に応じて各種利用されている。このような各種の磁気センサは、特許文献１や特許文献２に示すように、筐体の天面近傍に磁気抵抗素子を配置し、当該筐体の天面に沿って被検出体を搬送させる。磁気抵抗素子は、被検出体の通過による当該磁気抵抗素子へ印加される磁束密度の変化によって抵抗値が変化する素材からなり、搬送される被検出体の磁気スレッドにより磁気抵抗素子の抵抗値が変化することを例えば出力電圧信号のレベル変化で検出することで、被検出体の磁気スレッドを検出する。
【０００３】
このような磁気抵抗素子を用いた磁気センサでは、磁気抵抗素子に印加される磁束密度が低すぎると検出性能が大幅に劣化する。したがって、検出性能を向上させるため、磁石を配置し、磁気抵抗素子および搬送される被検出体の磁気スレッドに対してバイアス磁界を印加している。
【先行技術文献】
【特許文献】
【０００４】
【特許文献１】特開２０００−３９４７２号公報
【特許文献２】特開平５−３３２７０３号公報
【発明の概要】
【発明が解決しようとする課題】
【０００５】
ところで、従来の磁気センサでは、次のような理由により、バイアス磁界を決定していた。
【０００６】
例えば磁気抵抗素子の素材としてＩｎＳｂを用いると、図４に示すような磁気抵抗特性となる。図４（Ａ）は磁気抵抗素子に印加される磁束密度に応じた磁気抵抗素子の抵抗値変化を示す特性図であり、図４（Ｂ）はバイアス磁界に応じた出力電圧Ｖｏｕｔの出力レベル変化を示す特性図である。図４（Ｃ）は２つの磁気抵抗素子ＭＲ１、磁気抵抗素子ＭＲ２による直列回路の等価回路を示す。図４（Ｂ）の出力電圧Ｖｏｕｔは磁気抵抗素子ＭＲ１と磁気抵抗素子ＭＲ２との直列回路の分圧電圧で得られたものであり、搬送される被検出体の磁気スレッドにより、磁気抵抗素子に印加される磁束密度が変化する場合を示す。また、式（１）は、図４（Ｂ）に示す出力電圧Ｖｏｕｔの特性を理論的に示す式である。
【０００７】
Ｖｏｕｔ［Ｖ］＝
２・（ＭＲ１’（Ｂ）・ΔＢ・Ｖｉｎ）／（ＭＲ１（Ｂ）＋ＭＲ２（Ｂ））［Ｖ］
−（１）
式（１）において、ＭＲ１（Ｂ）およびＭＲ２（Ｂ）は磁束密度Ｂの時点での磁気抵抗素子の抵抗値、ＭＲ１’（Ｂ）は図４（Ａ）から得られる磁束密度Ｂの時点での抵抗値の傾き、ΔＢは、磁束密度Ｂの時点での磁気抵抗素子に対する被検出体の磁気スレッドによる通過磁束密度の変化分を示す。また、ＭＲ２（Ｂ）もＭＲ１（Ｂ）と同様に、抵抗変化するため、ＭＲ２（Ｂ）の変化分も考慮して、分子を２倍にしている。
【０００８】
図４および式（１）に示すように、従来では磁気抵抗素子に印加させる磁束密度によって決定される出力電圧Ｖｏｕｔの増加飽和点となる１５０ｍＴよりもバイアス磁界を高く設定すると、出力電圧Ｖｏｕｔが低下してしまう。このため、従来の磁気センサでは、出力電圧Ｖｏｕｔの増加飽和点である１５０ｍＴ以下にバイアス磁界を設定していた。
【０００９】
しかしながら、バイアス磁界をこのように１５０ｍＴ以下に設定した場合、上述の磁気スレッドのような低いバイアス磁界であっても強い磁性を有する磁気情報であれば、上述の理論および図４にも示したように、検出に適する出力電圧Ｖｏｕｔ１を得ることができるが、磁気インク等で印刷された磁気パターンのように磁性が低い磁気情報では、出力電圧Ｖｏｕｔを検出可能なレベルで得ることが困難である。
【００１０】
したがって、本発明の目的は、バイアス磁界が印加された状態で磁性の高い磁気情報のみでなく、磁性の低い磁気情報も、確実に検出することができる磁気センサを実現することにある。
【課題を解決するための手段】
【００１１】
この発明は、被検出体に印加される磁束密度の変化に応じて抵抗値が変化する磁気抵抗素子と、該磁気抵抗素子にバイアス磁界を印加する磁石とを備え、磁気抵抗素子の感度が最大となる磁束密度よりも、被検出体の磁気パターンの飽和磁束密度が高い場合において磁気パターンを検出する磁気センサに関するものである。そして、この磁気センサでは、磁気抵抗素子の感度が最大となる磁束密度よりも高い磁束密度が与えられる。
【００１２】
この構成では、被検出体の磁気パターンの飽和磁束密度が、磁気抵抗素子の感度が最大となる磁束密度よりも高い場合に、従来考えられていた上述の図４（Ｂ）の特性や式（１）で与えられる特性ではなく、磁気抵抗素子の感度が最大となる磁束密度よりも被検出体の磁気パターンの飽和磁束密度に近い磁束密度が印加されれば、磁気パターンがより強く磁化されて、検出レベルが高くなることを利用している（後述の図２および式（２）参照）。したがって、本発明のように磁気抵抗素子の感度が最大となる磁束密度よりも大きい磁束密度が印加させることで、磁気抵抗素子の感度が最大となる磁束密度の場合よりも検出レベルを高くすることができる。これにより、磁気抵抗素子の感度が最大となる磁束密度では検出レベルが低い磁気パターンであっても検出可能になる。
【００１３】
また、この発明の磁気センサではバイアス磁界による磁化率または飽和磁束密度が異なる複数の磁気パターンを有する被検出体を検出する。この際、バイアス磁界は、複数の磁気パターンの磁化率または飽和磁束密度に基づく磁界強度である。
【００１４】
この構成は、異なる特性を有する複数の磁気パターンが被検出体に形成された場合に適用される。例えば、被検出体としては紙幣であり、バイアス磁界による磁化率が高く、飽和磁束密度が相対的に低い磁気スレッドと、バイアス磁界による磁化率が低く飽和磁束密度が相対的に高い磁気インクによる磁気パターンの組の場合に適用される。そして、このような複数の磁気パターンを有する場合には、それぞれの特性に応じた磁束密度が印加されるように、例えばバイアス磁界を設定することで、各磁気パターンを確実に検出することができる。すなわち、紙幣における磁気スレッドと磁気インクによる磁気パターンとを確実に検出することができる。
【００１５】
また、この発明の磁気線センサでは、磁気抵抗素子の感度が最大となる磁束密度における磁気パターンでの検出レベルを基準とし、当該基準の検出レベル以上の検出レベルが得られる範囲の磁束密度となる得るバイアス磁界が印加されることが好ましい。
【００１６】
この構成では、バイアス磁界から得られる磁束密度範囲を設定する。この際、磁束密度範囲は、磁気抵抗素子の感度が最大となる磁束密度における磁気パターンでの検出レベルを基準として、当該検出レベル以上の検出レベルが得られる磁束密度範囲が設定される。これにより、バイアス磁界をより適切に設定することができる。
【００１７】
また、この発明の磁気センサでは、バイアス磁界が１５０ｍＴより高く４５０ｍＴ以下である。この際、この発明の磁気センサでは、磁気抵抗素子は、フェライト基板上に形成されたＩｎＳｂの半導体薄膜によって形成されている。
【００１８】
これらの構成は、磁気抵抗素子の具体的構成およびバイアス磁界の具体的数値範囲を設定する。このような範囲に設定することで、後述の図２および図３に示すように、磁気抵抗素子の感度が最大となる磁束密度での検出レベルよりも高い検出レベルが得られる。
【発明の効果】
【００１９】
この発明の磁気センサを用いることで、バイアス磁界が印加されている状態で磁性の強い磁気スレッド等の磁気情報のみでなく、磁性の低い磁気インクによる磁気パターン等の磁気情報も、確実に検出することができる。
【図面の簡単な説明】
【００２０】
【図１】第１の実施形態の磁気センサの回路構成を示す図および当該磁気センサ１の磁気検出部１０の構成を示す側面図である。
【図２】バイアス磁界の設定概念を説明するためのバイアス磁界による出力電圧特性および磁化特性による出力電圧特性を示すグラフである。
【図３】被検出体９００の磁気パターン９０１として磁気スレッドを用い、磁気パターン９０２として磁気インクパターンを用いた場合の出力電圧特性を示すグラフである。
【図４】印加される磁束密度に応じた磁気抵抗素子の抵抗値変化を示す特性図、および、バイアス磁界に応じた出力電圧Ｖｏｕｔの出力レベル変化を示す特性図である。
【発明を実施するための形態】
【００２１】
本発明の実施形態に係る磁気センサについて図を参照して説明する。
図１（Ａ）は本実施形態の磁気センサ１の回路構成の一例を示す図であり、図１（Ｂ）は磁気センサ１の磁気検出部１０の構成を示す側面図である。
磁気センサ１は、磁気検出部１０、および増幅部３０を備える。
【００２２】
磁気検出部１０は、印加される磁束密度に応じて抵抗値が大幅に変化する磁気抵抗素子ＭＲ１および磁気抵抗素子ＭＲ２との直列回路１０１を備える。磁気抵抗素子ＭＲ１，ＭＲ２は、例えばフェライト等の絶縁性基板表面にＩｎＳｂからなる半導体薄膜を形成することで実現され、印加される磁束密度による抵抗値の変化、すなわち感度は、ＩｎＳｂの半導体薄膜上に形成された短絡電極によって調整されている。そして、これらＩｎＳｂの半導体薄膜を絶縁性基板上に形成した導電性電極で接続することで、直列回路１０１が実現される。
【００２３】
直列回路１０１は、検出用電圧Ｖｉｎ入力端子とグランド端子との間に接続されており、直列回路１０１の磁気抵抗素子ＭＲ１側の端部がグランド端子に接続し、直列回路１０１の磁気抵抗素子ＭＲ２側が検出用電圧Ｖｉｎ入力端子に接続している。また、直列回路１０１の磁気抵抗素子ＭＲ１，ＭＲ２の接続点は、電圧レベルによる信号である磁気検出信号Ｖｏｕｔ１の出力端子となっている。
【００２４】
増幅部２０は、磁気検出部１０からの磁気検出信号Ｖｏｕｔ１を、例えば１０００倍に増幅し、センサ出力信号ＶｏｕｔＳとして出力する。
【００２５】
このような回路構成の磁気センサ１の磁気検出部１０は、構造的には、図１（Ｂ）に示すような構造からなる。磁気センサ１の磁気検出部１０は、絶縁性材料で長尺形からなる略直方体の筐体１１を有する。筐体１１は、図１（Ｂ）に示す側面視の状態で略矩形状であり、その内部に長尺方向に沿って長い磁石１２を備える。筐体１１の天面付近には、上述の磁気抵抗素子ＭＲ１，ＭＲ２が配置されており、この天面にはカバー１５が設置されている。そして、このカバー１５上を磁化率または飽和磁束密度の異なる磁気パターン９０１，９０２が設けられた被検出体９００が搬送される。この際、被検出体９００は、筐体１１の長尺方向に直交する方向（図１（Ｂ））の横方向に沿って搬送される。
【００２６】
また、筐体１１には、天面側に配置された磁気抵抗素子ＭＲ１，ＭＲ２をグランドＧＮＤに接続したり、印加電圧Ｖｉｎを印加したり、磁気検出信号Ｖｏｕｔ１を出力するためのピン端子１３が設置されており、これらピン端子１３は、フレーム端子１４により磁気抵抗素子ＭＲ１，ＭＲ２に接続されている。
【００２７】
このような構成の磁気センサ１では、次に示す方法で被検出体９００の磁気パターン９０１，９０２が検出される。
【００２８】
まず、磁気抵抗素子ＭＲ１，ＭＲ２からなる直列回路１０１には、検出用電圧Ｖｉｎが印加される。この状態で、磁気抵抗素子ＭＲ１，ＭＲ２の配置領域には、磁石１２によって後述する概念で決定されたバイアス磁界が与えられる。
【００２９】
次に、このような検出用電圧Ｖｉｎおよびバイアス磁界が印加された状態で、被検出体９００が搬送されると、磁気パターン９０１および磁気パターン９０２の通過のタイミングで、磁気抵抗素子ＭＲ１，ＭＲ２に印加される磁束密度が変化し、磁気抵抗素子ＭＲ１，ＭＲ２の抵抗値が変化する。これにより、磁気抵抗素子ＭＲ１，ＭＲ２の分圧電圧からなる磁気検出信号Ｖｏｕｔ１のレベルが変化する。この変化を観測することで、磁気パターン９０１，９０２を検出する。
【００３０】
次に、磁石１２により印加されるバイアス磁界の設定方法に図２および図３を用いて説明する。
【００３１】
上述のように、従来では磁気抵抗素子ＭＲ１，ＭＲ２の磁界感度（印加される磁束密度による抵抗値の変化特性）によってバイアス磁界の強度が決定されており、本実施形態の構成の磁気センサであれば１５０ｍＴに設定されていた。これは、磁気抵抗素子ＭＲ１の感度により、バイアス磁界が所定値（本実施形態の例では１５０ｍＴ）まで達すると、出力電圧である磁気検出信号Ｖｏｕｔ１のレベルが極大値となり、バイアス磁界をこれ以上増加させると磁気検出信号Ｖｏｕｔ１のレベルが低下してしまうからである。
【００３２】
しかしながら、本願の発明者はシミュレーションおよび実験を繰り返した結果、磁気パターンの磁化率または飽和磁束密度によっても、上述の磁気検出信号Ｖｏｕｔ１の極大値が変化することを判明した。
【００３３】
磁気パターンの磁化による磁気検出信号Ｖｏｕｔ１の変動は、次式により得られる。
【００３４】
Ｖｏｕｔ１［Ｖ］＝
２・（ＭＲ１’（Ｂ）・ΔＢ・Ｖｉｎ）／（ＭＲ１（Ｂ）＋ＭＲ２（Ｂ））＋Ｋ・Ｂ［Ｖ］                                                              −（２）
式（２）において、ＭＲ１（Ｂ），ＭＲ２（Ｂ）は磁束密度Ｂの時点での磁気抵抗素子の抵抗値、ＭＲ１’（Ｂ）は図４（Ａ）から得られる磁束密度Ｂの時点での抵抗値の傾き、ΔＢは、磁束密度Ｂの時点での磁気抵抗素子に対する被検出体の磁気スレッドによる磁束密度の変化分、Ｋは磁気パターンの磁化による電圧変動係数を示す。また、ＭＲ２（Ｂ）も、ＭＲ１（Ｂ）と同様に、抵抗値変化するため、ＭＲ２の変化分も考慮して式（２）の分子を２倍としている。
【００３５】
図２はバイアス磁界の設定概念を説明するための出力電圧特性およびバイアス磁界による磁化特性を示すグラフである。ここでは、磁気検出部として磁気抵抗素子ＭＲ１，ＭＲ２に代えて、磁気抵抗素子ＭＲ１と抵抗素子Ｒ１とを用いてシミュレーションを行った。図２において、特性Ａは従来考えられていた上述の図４に示した出力電圧特性を示し、上述の「発明が解決しようとする課題」の式（１）に基づき、式（１）の分母のＭＲ２をＲに置き換え、式（１）の分子の２倍の項を１倍の項として計算する。特性Ｂは磁気パターン９０１の出力電圧特性を示し、特性Ｃは磁気パターン９０２の出力電圧特性を示し、上述の式（２）に基づき、式（２）の分母のＭＲ２をＲに置き換え、式（２）の分子の２倍の項を１倍の項として計算する。また、特性ｂ’は磁気パターン９０１の磁化による出力増大量を示し、特性ｃ’は磁気パターン９０２の磁化による出力増大量を示し、上述の式（２）における電圧変動係数Ｋを定義する特性である。
【００３６】
図２の特性ｂ’，ｃ’に示すように、特性ｂ’で表される磁気パターン９０１は、バイアス磁界による磁化率（磁化変化率）及び飽和磁束密度が相対的に低い磁気パターンであり、一方、特性ｃ’で表される磁気パターン９０２は、磁気パターン９０１に対して、バイアス磁界による磁化率（磁化変化率）及び飽和磁束密度が相対的に高い磁気パターンである。そして、これら磁気パターン９０１，９０２の飽和磁束密度は、従来の磁気抵抗素子ＭＲ１の感度のみによって出力電圧Ｖｏｕｔ（磁気検出信号Ｖｏｕｔ１）のレベルが極大となる磁束密度よりも高い。
【００３７】
このような状況の場合、磁気パターン９０１の磁化の影響を受ける出力電圧特性（特性Ｂ＝特性Ａ＋特性ｂ’）および磁気パターン９０２の磁化の影響を受ける出力電圧特性（特性Ｃ＝特性Ａ＋特性ｃ’）では、磁気抵抗素子ＭＲ１の感度のみで設定された出力電圧特性（特性Ａ）と比較して、磁気検出信号Ｖｏｕｔ１が極大となる磁束密度は高くなる。すなわち、従来よりも高いバイアス磁界を印加しても磁気検出信号Ｖｏｕｔ１のレベルが単調減少するのではなく、極大を有する。この際、この極大の電圧レベルは従来の磁気検出信号Ｖｏｕｔ１のレベル（上述の例では１５０ｍＴでの出力電圧レベル）よりも高くなる。
【００３８】
この際、磁気パターン９０１の磁化によって遷移する極大と磁気パターン９０２によって遷移する極大の位置は異なり、これらは、磁気パターン９０１，９０２の飽和磁束密度が生じるバイアス磁束密度に依存する。したがって、磁気パターン９０１，９０２の飽和磁束密度が生じるバイアス磁界を磁石１２により印加するように設定すれば、従来よりも高いレベルの磁気検出信号Ｖｏｕｔ１を出力することができる。
【００３９】
次に、上述の理論を実証する実験結果を示す。
図３は被検出体９００の磁気パターン９０１として磁気スレッドを用い、磁気パターン９０２として磁気インクパターンを用いた場合の出力電圧特性を示すグラフである。ここで、図３（Ａ）は増幅後の出力電圧値の絶対値表示であり、図３（Ｂ）はバイアス磁界が１５０ｍＴの時点を基準レベルとした出力電圧値の相対値表示（出力電圧比表示）である。なお、図３の磁気センサの回路構成は、図１（Ａ）のものである。
【００４０】
図３に示すように、磁気パターン９０１（磁気スレッド）および磁気パターン９０２（磁気インクパターン）が存在する場合、出力電圧である磁気検出信号Ｖｏｕｔ１の極大となるバイアス磁界は２００ｍＴ〜３００ｍＴ程度となり、従来の磁気抵抗素子ＭＲ１の感度のみを考慮した磁気検出信号Ｖｏｕｔ１の極大となるバイアス磁界である１５０ｍＴよりも高くなる。さらに、磁気パターン９０１（磁気スレッド）よりも元々の磁化率または飽和磁束密度が低い磁気パターン９０２（磁気インクパターン）の方が、磁気検出信号Ｖｏｕｔ１のレベルの変化率がより高くなる。例えば、図３（Ｂ）に示すように、１５０ｍＴのバイアス磁界における磁気検出信号Ｖｏｕｔ１のレベルを基準にした場合、２００ｍＴ〜３００ｍＴ程度のバイアス磁界において、磁気パターン９０１（磁気スレッド）では１４０％程度にレベルが向上するのに対して、磁気パターン９０２（磁気インクパターン）では１８０％程度までレベルが向上する。これにより、図３（Ａ）に示すように、従来では検出困難な程度に磁性が低かった磁気パターン９０２（磁気インクパターン）に対する磁気検出信号Ｖｏｕｔ１のレベルを、検出可能なレベルまで向上させることができる。この際、磁気パターン９０１（磁気スレッド）に対する磁気検出信号Ｖｏｕｔ１のレベルも向上する。
【００４１】
これにより、本実施形態の磁気センサ１は、それぞれに異なる磁化率または飽和磁束密度を有する磁気パターン９０１，９０２をともに確実に検出することができる。
【００４２】
この際、バイアス磁界を増加させると、磁気検出信号Ｖｏｕｔ１のレベルが極大値となった後に低下する。これは、各磁気パターン９０１，９０２の飽和磁束密度を超えることにより発生するものである。そして、バイアス磁界を増加させすぎると、磁気検出信号Ｖｏｕｔ１は、図３（Ｂ）に示すように、１５０ｍＴのバイアス磁界における磁気検出信号Ｖｏｕｔ１のレベルを下回るようになる。したがって、バイアス磁界を設定する場合には、このように磁気抵抗素子ＭＲ１の感度のみにより設定したバイアス磁界で得られる磁気検出信号Ｖｏｕｔ１のレベルよりも下回るレベルとなるバイアス磁界にはならない範囲に設定すると良い。例えば、本実施形態の例であれば、バイアス磁界は、１５０ｍＴから４５０ｍＴの範囲内に設定すると良い。
【００４３】
なお、上述の説明では、二つの磁気抵抗素子の直列回路を一つ備えた構成の磁気センサについて説明したが、当該直列回路を複数備え、それぞれの出力電圧レベルを差分増幅する磁気センサに対しても、上述のバイアス磁界の設定を適用することができる。さらには、感度の異なる磁気抵抗素子または磁気抵抗素子と固定抵抗素子とが直列接続してなる磁気センサに対しても、上述のバイアス磁界の設定を適用することができる。
【００４４】
また、上述の説明では、磁化率または飽和磁束密度の異なる磁気パターンを二つ有する被検出体を例に説明したが、磁気抵抗素子の感度に基づく磁気検出信号の極大となる磁束密度よりも飽和磁束密度が高い磁気パターンを一つでも有する被検出体に対する磁気センサであれば、上述のバイアス磁界の設定を適用することができる。
【符号の説明】
【００４５】
１−磁気センサ、１０−磁気検出部、１１−筐体、１２−磁石、１３−ピン端子、１４−リード端子、１５−カバー、２０−増幅部
【図１】
2010256199.tif 000003
【図２】
2010256199.tif 000004
【図３】
2010256199.tif 000005
【図４】
2010256199.tif 000006